(57)【特許請求の範囲】
【請求項１】
単体容器体1a内から上方付勢させて液体噴出用ステム７を起立するとともに、単体容器体口頸部外面へ嵌合させた装着筒２上部が形成する小径のガイド筒部４内にステム７を通した縦型ポンプ式の単体容器１，１を並設して、各単体容器体1a内には異種液体を収納させた、左右一対をなす、二連の単体容器と、上記単体容器１の各上端部外面へ、上記ステム７，７を貫通させた上壁13の左右両部から垂下させた嵌合筒14,14 を嵌合させて、上記二連の単体容器を一体的に結縛する連結部材11と、上記ステム７，７の上部外面へ、左右両部下面から垂設した脚筒33,33 を嵌合させ、かつ前面からノズル32を前方突出する押下げヘッド31とからなる、混合液噴出用容器において、上記連結部材上壁13の外周部から押下げヘッド31外周を囲んで案内筒18を起立させ、上記ガイド筒部４の上部を上記嵌合筒14が囲む上壁部分に穿設した透孔12,12 内へ挿通させるとともに、ガイド筒部４上端面を両透孔12上端よりも上方に位置させ、上記上壁13の上面を排水用傾斜面19として排水用傾斜面19の全部ないし一部を、上記両透孔12の上端周縁へ下降するテーパ状面として上壁13上面に付着した水滴を排出可能に形成したことを特徴とする混合液噴出容器。
【発明の詳細な説明】
【０００１】
【発明の属する技術分野】
本発明は、混合液噴出用容器に関する。
【０００２】
【従来の技術】
例えば特開平11-198975 号が示すように、異液を充填した二箇のエアゾール缶を左右に並設して連結部材で一体的に連結させ、各エアゾール缶頂壁を貫通して起立する液体噴出用ステムの上部に、左右両部下面から垂設した脚筒を嵌合させてノズル付きの押下げヘッドを設けた、混合液噴出用容器が知られている。
【０００３】
【発明が解決しようとする課題】
上記押下げヘッド押下げにより、ステムが付勢に抗して押下げられ、するとエアゾール缶内液体が上記ステム内および押下げヘッド内を通ってノズルから混合液が噴出するが、押下げヘッドを安定させて垂直に上下動させるためには、ステムを貫挿させた上壁左右両部下面から垂下させて各エアゾール缶上部へ嵌合させた装着筒を有する連結部材上壁の外周から案内筒を起立し、該案内筒内で押下げヘッドを上下動させることが好ましい。
【０００４】
特にこのような場合は上記押下げヘッド上面等に水滴が付着すると、該水滴が押下げヘッド外面を伝わって上記案内筒内へ入り、連結部材の上部内へ溜り易く、すると容器携帯時に洩れ出すことが考えられる。
【０００５】
本発明は上記のような欠点を除去することを目的とする。
【０００６】
【課題を解決するための手段】
第１の手段として、単体容器体1a内から、上方付勢させて液体噴出用ステム７を起立する単体容器１，１を並設して、各単体容器体1a内には異種液体を収納させた、左右一対をなす、二連の単体容器と、上記単体容器１の各上端部外面へ、上記ステム７，７を貫通させた上壁13の左右両部から垂下させた嵌合筒14,14 を嵌合させて、上記二連の単体容器を一体的に結縛する連結部材11と、上記ステム７，７の上部外面へ、左右両部下面から垂設した脚筒33,33 を嵌合させ、かつ前面からノズル32を前方突出する押下げヘッド31とからなる、混合液噴出用容器において、上記連結部材上壁13の上面を排水用傾斜面19として、該上壁13上面に付着した水滴を排出可能に形成した。
【０００７】
第２の手段として、上記第１の手段を有すると共に上記連結部材上壁13の外周部から、押下げヘッド外周を囲んで、該ヘッド案内筒18を起立させた。
【０００８】
第３の手段として、上記第１又は第２の手段を有すると共に上記単体容器を縦形ポンプ式容器として、単体容器体口頸部外面へ嵌合させた装着筒２上部が形成する小径のガイド筒部４内にステム７を通して上方起立させ、又ガイド筒部４の上部を上記嵌合筒14が囲む上壁部分に穿設した透孔12,12 内へ挿通させ、上壁13上面の傾斜面19の全部ないし一部を、上記両透孔12の上端周縁へ下降するテーパ状面とし、又上記ガイド筒部４上端面を両透孔12上端よりも上方に位置させた。
【０００９】
第４の手段として、上記第１、第２、又は第３の手段を有すると共に上記単体容器を縦形ポンプ式容器として、容器体口頸部外面へ嵌合させた装着筒２上部が形成する小径のガイド筒部４内にステム７を通して上方起立させ、又該ガイド筒部４の上部を、上記装着筒２，２が囲む上壁部分に穿設した透孔12,12 内へ挿通させて該透孔12上方まで起立させ、又それ等両透孔12中間の上壁部分に水抜き孔20を穿設して、上壁13上面の傾斜面19の全部又は一部を、上記両透孔12,12 の上端周縁部が高く、かつ水抜き孔20の上端周縁部が低い傾斜面19とした。
【００１０】
【発明の実施の形態】
以下図面について説明すると、１は容器体内から、上方付勢させてステムを起立する単体容器で、図示例においては公知の縦形ポンプ式容器としているがエアゾール式容器であってもよい。図示例について簡単に説明すると、２は容器体口頸部３外面へ下部を螺合させた装着筒であり、該装着筒上端部を小径のガイド筒部４としている。５は容器体内へ垂設されたシリンダで、該シリンダ内からは筒状ピストン６を下部外面へ有するステム７を上方付勢させて、かつ上記ガイド筒部４内に挿通させて起立する。
【００１１】
上記単体容器１は左右一対として並設し、各単体容器体1a,1a 内にはそれぞれ異種の液体を充填している。
【００１２】
上記両単体容器は、連結部材11により一体的に結縛させてある。該連結部材は、上記ガイド筒部４上端部を挿入させた透孔12,12 を左右両部に有する上壁13の左右両部下面から、上記単体容器１，１の上部外面へ嵌合させて嵌合筒14,14 を垂下している。ガイド筒部４上端は透孔12上方まで起立する。図示例にあってはその嵌合筒内面に複数のリブ15を縦設し、それ等リブ内面を装着筒中間部に設けた中径部2a外面へ圧接させている。又上壁外周からは、上記嵌合筒と一部を共用させて周壁16を垂下しており、更に周壁下端からは外方張出し壁部を介してスカート状筒17を垂下し、該スカート状筒下端を、一体的に、胴部を接して設けられた両単体容器体の胴上端外面部へ嵌合させている。更に又上壁13上面の外周部からは押下げヘッドを上部で囲んで案内筒18を起立している。該連結部材は既述のように両単体容器を一体的に結縛することで、左右一対をなす二連容器としている。
【００１３】
31はノズル32付きの押下げヘッドで、左右両部から脚筒33,33 を垂下し、これ等脚筒を既述ステム７，７の上部外面へ嵌合させている。又左右方向中間の前面からはノズル32を前方突出し、既述ステムを通って押下げヘッド内へ入った液体はノズル32を通って噴出可能としている。
【００１４】
41はカバー筒で頂部42外周から垂下する周壁43下部を、既述連結部材11の周壁16外面へ、着脱自在に嵌合させているが、必要により設ければよい。
【００１５】
上記二連容器の下端部には両単体容器下端部の結縛を兼ねて袴51を嵌合させているが、該袴も必要により設ければよい。
【００１６】
本発明にあっては、既述構成において連結部材上壁13の上面へ、排水用の傾斜面19を付形した。該傾斜面は排水可能であればどのようなものでもよい。押下げヘッド案内筒18を設けない場合は上壁13の外周から流下させてもよく、又図示の場合のように単体容器を縦形ポンプ式として装着筒のガイド筒部４上部を上壁左右両部の透孔12,12 に挿通させた場合は、傾斜面の全部ないし一部を図５が示すように透孔12の上端周縁へ下降するテーパ状面に形成してもよく、又これとは逆に、図５が示すように両透孔12,12 中間の上壁部分に水抜き孔20を穿設して、傾斜面の全部又は一部を、両挿通孔の上端周縁部が高く、かつ水抜き孔の上端周縁部が低い傾斜面としてもよい。尚図３右半は挿通孔の上端縁を周辺部よりも低くした場合において、その挿通孔の内面に水抜き溝21を縦設した例を示す。
【００１７】
【発明の効果】
本発明は既述構成としたから、本来、単体容器の各上端部外面へ上壁左右両部から垂設した嵌合筒14,14 を嵌合させて二連容器を一体的に結縛する連結部材11の上壁上面へは水滴等が付着し易く、又該付着水が落ち難いが、本発明ではその上壁上面を排水用傾斜面としたからその付着水を自動的に除去することが出来る。
【００１８】
第２の手段のように、上壁外周部から押下げヘッド案内筒18を起立させた場合は、その案内筒が防水壁となって上壁への水の付着を防止でき、又その案内筒内へ水が入っても上記のように排水用傾斜面があればその排水が容易である。
【００１９】
第３の手段のように形成することでガイド筒部４挿入用の透孔12,12 を水抜き孔として利用できる。
【図面の簡単な説明】
【図１】  本発明容器を正面側からみた半断面図である。
【図２】  図１容器を一部切欠いて示す側面図である。
【図３】  容器一部の説明図で、該図の右半は左半の変形例である。
【図４】  図１要部の拡大図である。
【図５】  図４の変形例を示す拡大図である。
【符号の説明】
１…単体容器                    ２…装着筒
４…ガイド筒部                  11…連結部材
13…上壁                        14…嵌合筒
18…押下げヘッド案内筒          19…傾斜面
31…押下げヘッド                33…脚筒
【図１】
0003883170.tif 000002
【図２】
0003883170.tif 000003
【図３】
0003883170.tif 000004
【図４】
0003883170.tif 000005
【図５】
0003883170.tif 000006